(57)【要約】      （修正有）【課題】媒体の支持ユニットとエッジガイドとが干渉して操作性が低下することを抑制する給送装置、画像読取装置及び記録装置を提供する。【解決手段】媒体給送装置は、媒体を送る給送ローラー１０と、給送ローラー１０が媒体と接触する側から媒体を支持する支持状態と、支持状態を解除する解除状態と、を切り換え可能な支持部２０と、媒体の送り方向と交差する方向である媒体の幅方向に移動可能であるとともに媒体における幅方向の端部を位置決めするものであって、幅方向における移動領域Ｓに支持部２０の状態切り換えの際に支持部２０と干渉する干渉範囲と支持部２０と干渉しない非干渉範囲とを含むエッジガイド１９と、エッジガイド１９が前記非干渉範囲に位置する状態での支持部２０の支持状態から解除状態への切り換わりに応じて、エッジガイドの移動領域Ｓを前記非干渉範囲に規制する規制部２１と、を備える。【選択図】図４
2018019201.tif 000002
【特許請求の範囲】
【請求項１】
媒体を送る給送ローラーと、
前記給送ローラーにより前記媒体が送られる際に前記給送ローラーが前記媒体と接触す
る側から前記媒体を支持する支持状態と、前記支持状態を解除する解除状態と、を切り換
え可能な支持部と、
前記媒体の送り方向と交差する方向である前記媒体の幅方向に移動可能であるとともに
前記媒体における前記幅方向の端部を位置決めするものであって、前記幅方向における移
動領域に前記支持部の状態切り換えの際に前記支持部と干渉する干渉範囲と前記支持部と
干渉しない非干渉範囲とを含むエッジガイドと、
前記エッジガイドが前記非干渉範囲に位置する状態での前記支持部の前記支持状態から
前記解除状態への切り換わりに応じて、前記エッジガイドの前記移動領域を前記非干渉範
囲に規制する規制部と、
を備えることを特徴とする給送装置。
【請求項２】
請求項１に記載の給送装置において、
前記規制部は、前記移動領域に進退可能に配置され、前記支持部が前記支持状態に有る
際には前記移動領域から退出し、前記支持部の前記支持状態から前記解除状態への切り換
わりに伴い前記移動領域に進入する、ことを特徴とする給送装置。
【請求項３】
請求項２に記載の給送装置において、
前記規制部を前記移動領域に進入する方向に付勢する付勢部を備えることを特徴とする
給送装置。
【請求項４】
請求項２又は請求項３に記載の給送装置において、
前記移動領域への前記規制部の進入を検出可能な検出部を備え、
前記検出部による検出結果を報知可能であることを特徴とする給送装置。
【請求項５】
請求項１から請求項４のいずれか１項に記載の給送装置において、
前記規制部は、前記移動領域に進入した際、前記給送ローラーによる前記媒体の給送経
路にも進入することを特徴とする給送装置。
【請求項６】
請求項１から請求項５のいずれか１項に記載の給送装置において、
前記媒体をセットするセット部と、
前記移動領域への前記規制部の進入に伴い、前記セット部における媒体のセット領域に
進入して前記セット部への媒体のセットを阻害する阻害部と、
を備えることを特徴とする給送装置。
【請求項７】
請求項１から請求項６のいずれか１項に記載の給送装置において、
前記エッジガイドは、前記媒体の前記幅方向の両端部に対応して第１エッジガイドと第
２エッジガイドとが設けられ、前記幅方向における前記第１エッジガイドと前記第２エッ
ジガイドの中心を基準に前記幅方向において連動して対称に移動するよう構成されている
ことを特徴とする給送装置。
【請求項８】
請求項１から請求項７のいずれか１項に記載の給送装置において、
前記給送ローラーは、前記支持部を前記支持状態から前記解除状態に切り換えることで
着脱可能であることを特徴とする給送装置。
【請求項９】
前記媒体に形成された画像を読み取る読取部と、
前記読取部へ前記媒体を給送する請求項１から８のいずれか１項に記載の給送装置と、
を備えることを特徴とする画像読取装置。
【請求項１０】
前記媒体に記録を行う記録部と、
前記記録部へ前記媒体を給送する請求項１から８のいずれか１項に記載の給送装置と、
を備えることを特徴とする記録装置。
【発明の詳細な説明】
【技術分野】
【０００１】
本発明は、給送装置、画像読取装置及び記録装置に関する。
【背景技術】
【０００２】
従来から、媒体を送ることが可能な給送装置が使用されている。このような給送装置に
おいては、媒体のセット部に媒体の幅方向の位置決めをするエッジガイドと、媒体の給送
経路において媒体を送る給送ローラーが媒体と接触する側から媒体を支持する媒体の支持
ユニットと、を備えるものが多く使用されている。  
例えば、特許文献１には、エッジガイドとしてのサイドガイドと、媒体の支持ユニット
としての下側ガイドと、を備える原稿搬送装置（給送装置）が開示されている。
【先行技術文献】
【特許文献】
【０００３】
【特許文献１】特開２０１４−６０４９４号公報
【発明の概要】
【発明が解決しようとする課題】
【０００４】
特許文献１に表される給送装置においては、給送ローラーを清掃する場合や交換する場
合などにおいて、媒体の支持ユニット（下側ガイド）を取り外したり回動させたりするこ
となどによって移動させることがある。そして、特許文献１の図１などで表されるように
、エッジガイド（サイドガイド）と媒体の支持ユニット（下側ガイド）とは、干渉する位
置に形成されることが多い。また、エッジガイドが媒体の幅方向において不意に移動して
しまう場合がある。このため、例えば、媒体の支持ユニットを媒体の支持位置から移動さ
せた後においてエッジガイドが不意に移動した場合などにおいて、エッジガイドの媒体の
幅方向における存在位置によっては、エッジガイドが干渉して支持ユニットを媒体の支持
位置に戻せないなど、支持ユニットとエッジガイドとが干渉して操作性が低下する場合が
あった。
【０００５】
そこで、本発明は、媒体の支持ユニットとエッジガイドとが干渉して操作性が低下する
ことを抑制することを目的にする。
【課題を解決するための手段】
【０００６】
上記課題を解決するための本発明の第１の態様の給送装置は、媒体を送る給送ローラー
と、前記給送ローラーにより前記媒体が送られる際に前記給送ローラーが前記媒体と接触
する側から前記媒体を支持する支持状態と、前記支持状態を解除する解除状態と、を切り
換え可能な支持部と、前記媒体の送り方向と交差する方向である前記媒体の幅方向に移動
可能であるとともに前記媒体における前記幅方向の端部を位置決めするものであって、前
記幅方向における移動領域に前記支持部の状態切り換えの際に前記支持部と干渉する干渉
範囲と前記支持部と干渉しない非干渉範囲とを含むエッジガイドと、前記エッジガイドが
前記非干渉範囲に位置する状態での前記支持部の前記支持状態から前記解除状態への切り
換わりに応じて、前記エッジガイドの前記移動領域を前記非干渉範囲に規制する規制部と
、を備えることを特徴とする。
【０００７】
本態様によれば、エッジガイドを支持部と干渉しない非干渉範囲に位置させて支持部を
媒体の支持位置（支持状態）から移動させる（支持状態を解除する）ことに伴い、幅方向
におけるエッジガイドの移動領域を支持部とエッジガイドとが干渉しない範囲（非干渉範
囲）に規制する規制部を備える。すなわち、支持部を媒体の支持位置から移動させること
に伴い規制部がエッジガイドの移動領域を規制するため、支持部を媒体の支持位置に戻す
際にエッジガイドが干渉して支持部を媒体の支持位置に戻せなくなることを抑制できる。
したがって、支持部とエッジガイドとが干渉して操作性が低下することを抑制できる。  
なお、「支持状態」とは、実際に媒体を支持していない場合でも媒体を支持可能な位置
（支持位置）にある状態を意味する。また、「解除状態」とは、支持位置から移動（回動
などの姿勢変化も含む）させた状態を意味する。
【０００８】
本発明の第２の態様の給送装置は、前記第１の態様において、前記規制部は、前記移動
領域に進退可能に配置され、前記支持部が前記支持状態に有る際には前記移動領域から退
出し、前記支持部の前記支持状態から前記解除状態への切り換わりに伴い前記移動領域に
進入する、ことを特徴とする。
【０００９】
本態様によれば、規制部は、エッジガイドの移動領域に進退可能に配置され、媒体の支
持位置に支持部が有る際にはエッジガイドの移動領域から退出し、媒体の支持位置から移
動させること（支持部の支持状態から解除状態への切り換わり）に伴い、エッジガイドの
移動領域に進入する。このため、エッジガイドの移動領域において進退可能な構成とする
ことで、簡単な構成で規制部を形成できる。
【００１０】
本発明の第３の態様の給送装置は、前記第２の態様において、前記規制部を前記移動領
域に進入する方向に付勢する付勢部を備えることを特徴とする。
【００１１】
本態様によれば、規制部をエッジガイドの移動領域に進入する方向に付勢する付勢部を
備える。このため、規制部をエッジガイドの移動領域に進退させる構成を簡単に形成する
ことができる。したがって、特に簡単な構成で規制部を形成できる。
【００１２】
本発明の第４の態様の給送装置は、前記第２又は第３の態様において、前記移動領域へ
の前記規制部の進入を検出可能な検出部を備え、前記検出部による検出結果を報知可能で
あることを特徴とする。
【００１３】
本態様によれば、規制部がエッジガイドの移動領域に進入したことを検出可能な検出部
を備え、検出部による検出結果を報知可能である。このため、ユーザーは規制部がエッジ
ガイドの移動領域に進入したことを簡単に認識することができる。  
ここで、「検出部」の構成は特に限定が無く、例えば、光や圧力などを利用するものを
用いることができる。また、規制部とは別体で構成されていてもよいが、規制部と一体的
に構成されていてもよい。  
なお、「検出結果を報知」とは、光、音、映像などで報知することを意味し、給送装置
から報知させる場合だけでなく外部装置から報知させる場合も含む意味である。
【００１４】
本発明の第５の態様の給送装置は、前記第１から前記第４のいずれか１つの態様におい
て、前記規制部は、前記移動領域に進入した際、前記給送ローラーによる前記媒体の給送
経路にも進入することを特徴とする。
【００１５】
本態様によれば、規制部は、エッジガイドの移動領域に進入した際、給送ローラーによ
る媒体の給送経路にも進入するよう配置されている。このため、規制部がエッジガイドの
移動領域に進入した際、媒体の給送経路というユーザーが見やすい位置に規制部が存在す
るので、ユーザーは規制部がエッジガイドの移動領域に進入したことを簡単に認識するこ
とができる。
【００１６】
本発明の第６の態様の給送装置は、前記第１から前記第５のいずれか１つの態様におい
て、前記媒体をセットするセット部と、前記規制部が前記エッジガイドの移動領域に進入
することに伴って前記媒体を前記セット部にセットすることを阻害する阻害部と、を備え
ることを特徴とする。
【００１７】
本態様によれば、規制部がエッジガイドの移動領域に進入することに伴って媒体をセッ
ト部にセットすることを阻害する阻害部を備える。このため、規制部がエッジガイドの移
動領域に進入している状態に対応する支持ユニットが媒体の支持位置に無い状態（媒体を
適正に送ることができない状態）において、媒体のセットを阻害し、適正でない状態で媒
体が送られることを抑制することができる。
【００１８】
本発明の第７の態様の給送装置は、前記第１から前記第６のいずれか１つの態様におい
て、前記エッジガイドは、前記媒体の前記幅方向の両端部に対応して第１エッジガイドと
第２エッジガイドとが設けられ、前記幅方向における前記第１エッジガイドと前記第２エ
ッジガイドの中心を基準に前記幅方向において連動して対称に移動するよう構成されてい
ることを特徴とする。
【００１９】
本態様によれば、エッジガイドは、幅方向の両端部に対応して第１エッジガイドと第２
エッジガイドとが設けられ、幅方向における第１エッジガイドと第２エッジガイドの中心
を基準に幅方向において連動して対称に移動するよう構成されている。このため、幅方向
において媒体を両側から位置決めできるとともに、第１エッジガイド及び第２エッジガイ
ドの一方を移動させることで他方も連動するのでエッジガイドを移動させる際の操作性を
良くすることができる。
【００２０】
本発明の第８の態様の給送装置は、前記第１から前記第７のいずれか１つの態様におい
て、前記給送ローラーは、前記支持部を前記支持状態から前記解除状態に切り換えること
で着脱可能であることを特徴とする。
【００２１】
本態様によれば、給送ローラーは支持部を支持状態から前記解除状態に切り換えること
で給送装置に対して着脱可能である。このため、支持ユニットを媒体の支持位置から移動
させ、給送ローラーを取り外せるので、給送ローラーの清掃や交換を簡単に実行できる。
【００２２】
本発明の第９の態様の画像読取装置は、前記媒体に形成された画像を読み取る読取部と
、前記読取部へ前記媒体を給送する前記第１から前記第８のいずれか１つに記載の給送装
置と、を備えることを特徴とする。
【００２３】
本態様によれば、支持ユニットとエッジガイドとが干渉して操作性が低下することを抑
制できるとともに、媒体に形成された画像を読み取ることができる。
【００２４】
本発明の第１０の態様の記録装置は、前記媒体に記録を行う記録部と、前記記録部へ前
記媒体を給送する前記第１から前記第８のいずれか１つに記載の給送装置と、を備えるこ
とを特徴とする。
【００２５】
本態様によれば、支持ユニットとエッジガイドとが干渉して操作性が低下することを抑
制できるとともに、媒体に記録することができる。
【図面の簡単な説明】
【００２６】
【図１】本発明に係る画像読取装置の外観を示す斜視図。
【図２】本発明に係る画像読取装置のカバー部を開いた状態の外観を示す斜視図。
【図３】本発明に係る画像読取装置の媒体の給送経路を示す側面断面図。
【図４】本発明に係る画像読取装置の上部ユニットを開いた状態の外観を示す斜視図。
【図５】本発明に係る画像読取装置の上部ユニットを取り外した状態の外観を示す斜視図。
【図６】本発明に係る画像読取装置の支持ユニットを閉じた状態の斜視図。
【図７】本発明に係る画像読取装置の支持ユニットを開いた状態の斜視図。
【図８】本発明に係る画像読取装置の支持ユニットを開いた状態の拡大図。
【図９】本発明に係る画像読取装置の支持ユニットを閉じた状態の側面断面図。
【図１０】本発明に係る画像読取装置の支持ユニットを開いた状態の側面断面図。
【図１１】参考例の画像読取装置の支持ユニットを閉じた状態の斜視図。
【図１２】参考例の画像読取装置の支持ユニットを開いた状態の斜視図。
【図１３】参考例の画像読取装置の支持ユニットを開きエッジガイドの間隔を狭めた状態の斜視図。
【発明を実施するための形態】
【００２７】
以下、本発明の一実施形態を図面に基づいて説明するが、本発明は、以下説明する実施
形態に限定されることなく、特許請求の範囲に記載した発明の範囲内で種々の変形が可能
であり、それらも本発明の範囲内に含まれるものであることを前提として、以下本発明の
一実施形態を説明するものとする。
【００２８】
図１は本発明の一実施形態に係る画像読取装置１の外観を示す斜視図、図２はカバー部
６を開いた状態の画像読取装置１の外観を示す斜視図、図３は画像読取装置１の媒体の給
送経路２２（図４参照）を示す側面断面図である。
【００２９】
なお、各図において示すＸ−Ｙ−Ｚ座標系はＸ方向が装置幅方向であるとともに媒体幅
方向、Ｙ方向が画像読取装置の奥行き方向及び媒体排出方向、Ｚ方向が媒体排出方向と直
交する方向を示している。なお、各図において＋Ｙ方向側を装置前面側とし、−Ｙ方向側
を装置背面側とする。
【００３０】
以下、本発明に係る画像読取装置１の全体構成について説明する。  
画像読取装置１は、読み取りを行う媒体の表面及び裏面の少なくとも一面を読み取り可
能なドキュメントスキャナーとして構成されている。画像読取装置１は、本発明に係る給
送装置の一実施形態である媒体給送装置３（図３）を備えている。また、画像読取装置１
の本体は、下部ユニット４と、上部ユニット５と、カバー部６と、排出トレイ７とを備え
ている。
【００３１】
上部ユニット５は下部ユニット４に対して媒体の搬送方向下流側に設けられた不図示の
回動軸を回動支点として回動可能に設けられている。上部ユニット５は、回動することに
より下部ユニット４との間で給送経路２２を構成する閉状態（図１〜図３）と、給送経路
２２を開放する開状態（図４参照）とを取り得る。
【００３２】
下部ユニット４の背面側の上部にはカバー部６が設けられている。カバー部６は、下部
ユニット４に対して回動可能に取り付けられている。カバー部６は、回動することにより
図１で表されるように上部ユニット５の上部を覆う閉状態と、図２で表されるように上部
ユニット５の上部を開放する開状態と、を切り換える。カバー部６は、開状態において、
セットされる媒体を載置する媒体載置部（複数の単票状の媒体を重ねてセットするセット
部２）の一部を構成する。
【００３３】
次に、装置前面側には読み取った媒体を排出する媒体排出口８が設けられている。また
、下部ユニット４は、媒体排出口８から装置前方側に向けて引き出し可能な排出トレイ７
を備えている。排出トレイ７は、下部ユニット４の底部に収納された状態（図１参照）と
、装置前面側に引き出された状態（図２参照）とを取り得る。本実施例において排出トレ
イ７は複数のトレイ部材を連結して構成されている。
【００３４】
次いで、図３を参照して、画像読取装置１及びにおける給送経路２２について説明する
。なお、図３以降では画像読取装置１および媒体給送装置３の主要構成要素のみを図示し
ており、説明に不要な構成要素は図示を省略している。また、図３では下部ユニット４及
び上部ユニット５は、その筐体の外郭のみを仮想線で示している。  
開いた状態のカバー部６に載置された媒体は、最も下に載置された媒体としての媒体（
シート）が、不図示の駆動源であるモーターにより回転駆動される給送ローラー１０によ
り給送方向下流側に給送される。給送ローラー１０の外周面は、高摩擦材料（例えば、ゴ
ムなどのエラストマ等）により構成されている。符号１０ａは、給送ローラー１０の回転
軸である。
【００３５】
なお、図３において符号Ｇは、カバー部６に載置（セット）された媒体束を示している
。媒体束Ｇは、給送開始前ではその先端がフラップ２５により給送待機位置（図３の位置
）に保持され、給送ローラー１０とリタードローラー１１との間への入り込みが規制され
ている。
【００３６】
給送ローラー１０の周囲にはセットガイド２３が設けられており、媒体束Ｇは、給送開
始前ではセットガイド２３によって下から支持され、押し上げられて、給送ローラー１０
から離間させられている。即ち給送ローラー１０との接触が防止されている。
【００３７】
媒体の給送が開始されると、セットガイド２３が下方に退避して媒体束Ｇのうち最下位
の媒体が給送ローラー１０と接触し、また、フラップ２５は揺動可能な状態（姿勢切り換
え可能な状態）となる。したがって、給送ローラー１０の回転により、最下位の媒体が下
流側に送り出される。フラップ２５は、下流側に送り出された媒体によって下流側に揺動
し、給送経路２２を開放する姿勢をとる。
【００３８】
給送ローラー１０と対向する位置にはリタードローラー１１が設けられている。本実施
形態において、リタードローラー１１は不図示の付勢部によって給送ローラー１０に対し
て付勢された状態に設けられている。リタードローラー１１の外周面は、給送ローラー１
０と同様に高摩擦材料（例えば、ゴムなどのエラストマ等）により構成されている。符号
１１ａは、リタードローラー１１の回転軸である。
【００３９】
また、リタードローラー１１は、トルクリミッタ９を備えており、更にこのトルクリミ
ッタ９を介して、不図示のトルク付与部或いはモーター等の駆動源から媒体を下流側に送
る回転方向（図３において時計回り方向）とは反対方向（図３において反時計回り方向）
の駆動トルクを受ける様に構成されている。
【００４０】
以上の構成においてリタードローラー１１は、給送ローラー１０と直接接触している状
態では、給送ローラー１０から受ける回転トルクがトルクリミッタ９のリミットトルクを
超える為、給送ローラー１０に従動して回転する（図３において時計回り方向）。
【００４１】
そして媒体の給送が開始され、給送ローラー１０とリタードローラー１１との間に複数
枚の媒体が入り込むと、リタードローラー１１は給送ローラー１０から回転トルクを受け
なくなり、給送ローラー１０に従動した回転が止まる。これにより給送されるべき最下位
の媒体を除く上位の媒体（重送を防止すべき媒体）は、下流側へ進む為の搬送力を受けず
、その先端がリタードローラー１１に当接した状態のまま下流側に進むことができない。
これにより、媒体の重送が防止される。  
なお、給送されるべき最下位の媒体は、給送ローラー１０と直接接触している為、給送
ローラー１０から受ける搬送力によって下流側に進む。  
図３において符号Ｅで示す破線は、搬送される媒体の搬送軌跡を示している。
【００４２】
なお、本実施形態において給送ローラー１０とリタードローラー１１は、媒体の幅方向
（Ｘ方向）において媒体の中央領域に設けられている（図４参照）。また本実施形態にお
いて媒体の幅方向（Ｘ方向）の給送基準位置は中央であり、以上により給送される媒体は
、そのサイズに拘わらず媒体幅方向の中央部分が給送ローラー１０とリタードローラー１
１とに接触する。  
また本実施形態では、給送ローラー１０とリタードローラー１１とは、媒体の幅方向（
Ｘ方向）において複数組（より具体的には２組）設けられている。
【００４３】
続いて、給送ローラー１０及びリタードローラー１１の下流側には、搬送ローラー１２
及び１３を備えて成る媒体の搬送部が設けられている。給送ローラー１０によって送り出
された最下位の媒体は、搬送ローラー１２及び１３から送り力を受け、更に下流側へと搬
送される。
【００４４】
搬送ローラー１２及び１３の下流側には、読取部１６及び１７が上下に対向配置されて
いる。本実施形態において読取部１６及び１７は、一例として密着型イメージセンサーモ
ジュール（ＣＩＳＭ）として構成されている。
【００４５】
媒体は、読取部１６及び１７によって表面及び裏面の少なくとも一方の面を読み取られ
た後、読取部１６及び１７各々の搬送方向下流側に位置する搬送ローラー１４及び１５を
備えて成る媒体排出部によって、媒体排出口８から排出される。  
なお、搬送ローラー１２及び１３のローラー対および搬送ローラー１４及び１５のロー
ラー対についても、本実施形態では媒体の幅方向（Ｘ方向）において複数組（より具体的
には２組）設けられている。また、搬送ローラー１２、１３、１４及び１５のうち、搬送
ローラー１２及び１４は不図示のモーターを駆動源として駆動する駆動モーターであり、
搬送ローラー１３及び１５は搬送ローラー１２及び１４が回転することに伴って回転する
従動ローラーである。
【００４６】
次に、本実施例の画像読取装置１（媒体給送装置３）の要部であるセット部２について
詳細に説明する。  
ここで、図４は、本実施例の画像読取装置１の上部ユニット５を開いた状態の外観を示
す斜視図である。また、図５は、本実施例の画像読取装置１の上部ユニット５を取り外し
た状態の外観を示す斜視図である。また、図６は、本実施例の画像読取装置１の支持部と
しての支持ユニット２０を閉じた状態（支持状態）の斜視図である。また、図７は、本実
施例の画像読取装置１の支持ユニット２０を開いた状態（解除状態）の斜視図である。ま
た、図８は、本実施例の画像読取装置１の支持ユニット２０を開いた状態（解除状態）の
拡大図である。また、図９は、本実施例の画像読取装置１の支持ユニット２０を閉じた状
態（支持状態）の−Ｘ方向から見た側面断面図である。また、図１０は、本実施例の画像
読取装置１の支持ユニット２０を開いた状態（解除状態）の−Ｘ方向から見た側面断面図
である。また、図１１は、参考例の画像読取装置の支持ユニット２０を閉じた状態の斜視
図である。また、図１２は、参考例の画像読取装置の支持ユニット２０を開いた状態の斜
視図である。また、図１３は、参考例の画像読取装置の支持ユニット２０を開きエッジガ
イド１９の間隔を狭めた状態の斜視図である。  
なお、支持ユニット２０は、媒体の送り方向に対応する＋Ｙ方向における下流側にＸ方
向に沿う不図示の回動軸が有り、該回動軸を基準に回動可能な構成である。そして、閉じ
た状態とは支持ユニット２０が媒体の支持位置にある状態であり、開いた状態とは支持ユ
ニット２０が媒体の支持位置から回動軸とは反対側の後端部分Ｔ２が上方に移動（回動軸
を基準に回動）した状態である。
【００４７】
図４及び図５で表されるように、本実施例の画像読取装置１（媒体給送装置３）は、媒
体の給送経路２２に、給送ローラー１０が媒体と接触する側（−Ｚ方向側）から媒体を支
持する支持ユニット２０を備えている。そして、図６と図７、並びに、図９と図１０を比
較するとわかるように、支持ユニット２０は、閉じた状態である媒体の支持位置（図６及
び図９）から回動して開いた状態（図７及び図１０）に移動可能な構成になっている。  
そして、図４から図１０で表されるように、媒体の幅方向（Ｘ方向）に移動可能である
とともに媒体の幅方向の端部の位置を位置決めするエッジガイド１９を備えている。なお
、エッジガイド１９の媒体の送り方向における先端部分Ｔ１は、支持ユニット２０の媒体
の送り方向における後端部分Ｔ２（支持ユニット２０の回動軸とは反対側の端部）に対し
て、媒体の幅方向（Ｘ方向）から見てＹ方向に一部が重なる配置（干渉する虞がある配置
）となっている（図４から図８、図１０参照）。これは、エッジガイド１９を媒体の送り
方向になるべく長く添わせる構成とすることで媒体の送り精度を向上しているためである
。
【００４８】
なお、図１１から図１３で表されるように、参考例の画像読取装置（媒体給送装置）も
、本実施例の画像読取装置１と同様、給送ローラー１０が媒体と接触する側から媒体を支
持する支持ユニット２０を備えており、支持ユニット２０は、閉じた状態である媒体の支
持位置（図１１）から開いた状態（図１２）に移動可能な構成になっている。また、参考
例の画像読取装置は、本実施例の画像読取装置１のエッジガイド１９と同様の構成の、媒
体の幅方向（Ｘ方向）に移動可能であるとともに媒体の幅方向の端部の位置を位置決めす
るエッジガイド１９を備えている。
【００４９】
ここで、参考例の画像読取装置は、図１１で表されるように支持ユニット２０を閉じた
状態において、エッジガイド１９を媒体の幅方向（Ｘ方向）に沿って移動可能である。ま
た、図１２で表されるように支持ユニット２０を開いた状態においても、図１３で表され
るようにエッジガイド１９を媒体の幅方向（Ｘ方向）に沿って移動可能である。ただし、
図１３で表されるように、エッジガイド１９を媒体の幅方向（Ｘ方向）の中央側に位置さ
せると、支持ユニット２０を閉じようとしたときにエッジガイド１９の先端部分Ｔ１と支
持ユニット２０の後端部分Ｔ２とが干渉する。このため、エッジガイド１９を媒体の幅方
向において支持ユニット２０の外側に移動しなければ閉じることができない。なお、この
ような状態で強引に支持ユニット２０を閉じようとすると支持ユニット２０又はエッジガ
イド１９が変形する場合や損傷する場合がある。
【００５０】
一方、本実施例の画像読取装置１は、支持ユニット２０を閉じた状態（図６）から開く
（図７）ことに伴い、媒体の幅方向（Ｘ方向）におけるエッジガイド１９の移動領域Ｓ（
図４参照）を支持ユニット２０とエッジガイド１９とが干渉しない範囲に規制する規制部
としてのロックレバー２１を備えている。  
ここで、支持ユニット２０を閉じた状態から開く場合、媒体の送り方向（Ｙ方向）から
見て支持ユニット２０とエッジガイド１９とが重なる位置にエッジガイド１９が有ると、
エッジガイド１９の先端部分Ｔ１と支持ユニット２０の後端部分Ｔ２とが干渉する。この
ため、支持ユニット２０を閉じた状態から開く場合、媒体の幅方向におけるエッジガイド
１９の位置は媒体の送り方向から見て支持ユニット２０とエッジガイド１９とが重ならな
い位置にエッジガイド１９を移動することとなる。そして、媒体の送り方向から見て支持
ユニット２０と重ならない位置で支持ユニット２０を開くと、図９で表される状態から図
１０で表される状態となり、媒体の幅方向において支持ユニット２０の外側に配置された
ロックレバー２１が＋Ｚ方向に突出するよう構成されている。ロックレバー２１が＋Ｚ方
向に突出すると、エッジガイド１９を媒体の幅方向における中央側（支持ユニット２０が
形成される側）に移動させようとしても、図１０で表されるようにエッジガイド１９の先
端部分Ｔ１の一部Ｔ１ａがロックレバー２１に干渉し、移動できない構成となっている。
なお、図９で表される状態（ロックレバー２１が該ロックレバー２１との接触部２０ａに
押され−Ｚ方向に引っ込んでいる状態）のときは、ロックレバー２１は該一部Ｔ１ａと干
渉しない位置となる（Ｘ方向から見てロックレバー２１と該一部Ｔ１ａとが重ならない位
置となる：図９参照）。
【００５１】
すなわち、本実施例の媒体給送装置３は、媒体をセットするセット部２と、セット部２
にセットされた媒体を送る給送ローラー１０と、給送ローラー１０により媒体が送られる
際に給送ローラー１０が媒体と接触する側から媒体を支持し、媒体の支持位置（支持状態
）から移動可能（支持状態を解除する解除状態に切り換え可能）な支持ユニット２０と、
を備えている。  
また、給送ローラー１０による媒体の送り方向（Ｙ方向）と交差する方向である媒体の
幅方向（Ｘ方向）に移動可能であるとともに媒体における幅方向の端部の位置を位置決め
するものであるエッジガイド１９を備えている。エッジガイド１９は、媒体の支持位置に
支持ユニット２０が有る際には支持ユニット２０と干渉しない位置（図９参照）であって
、媒体の支持位置から支持ユニット２０を移動する際には媒体の幅方向における存在位置
（Ｙ方向から見て支持ユニット２０と重なる位置）によっては支持ユニット２０に干渉す
る位置（図１０参照）に設けられている。別の表現をすると、エッジガイド１９は、幅方
向における移動領域Ｓに、支持ユニット２０を支持状態と解除状態との間で切り換える際
に支持ユニット２０と干渉する干渉範囲Ｓ１（図６参照）と支持ユニット２０と干渉しな
い非干渉範囲Ｓ２（図６参照）とを含む。なお、「支持状態」とは、実際に媒体を支持し
ていない場合でも媒体を支持可能な位置（支持位置）にある状態を意味する。また、「解
除状態」とは、支持位置から移動（回動などの姿勢変化も含む）させた状態を意味する。
さらに、エッジガイド１９を支持ユニット２０と干渉しない媒体の幅方向における存在
位置（媒体の幅方向における支持ユニット２０の外側）に位置させて支持ユニット２０を
媒体の支持位置から移動させることに伴い、媒体の幅方向におけるエッジガイド１９の移
動領域Ｓを支持ユニット２０とエッジガイド１９とが干渉しない範囲（媒体の幅方向にお
ける支持ユニット２０の外側：非干渉範囲Ｓ２）に規制するロックレバー２１を備えてい
る。別の表現をすると、ロックレバー２１は、エッジガイド１９が非干渉範囲Ｓ２に位置
する状態での支持ユニット２０の支持状態から解除状態への切り換わりに応じて、エッジ
ガイド１９の移動領域Ｓを非干渉範囲Ｓ２に規制する。  
本実施例の媒体給送装置３は、このような構成により、支持ユニット２０を移動させる
際（開くことに伴い）、ロックレバー２１がエッジガイド１９の移動領域Ｓを規制するこ
とで、エッジガイド１９が干渉して支持ユニット２０を媒体の支持位置に戻せなくなる（
エッジガイド１９を媒体の幅方向における支持ユニット２０の外側に移動しなければ閉じ
ることができなくなり手間がかかる）ことを抑制できる。簡単に言うと、ロックレバー２
１により、支持ユニット２０を開いた状態でエッジガイド１９の間隔（第１エッジガイド
１９ａと第２エッジガイド１９ｂとの間隔）を狭めることができないようにし、支持ユニ
ット２０を再び閉じる際に手間がかかる（エッジガイド１９を移動させる）ことを抑制し
ている。  
また、本実施例の支持ユニット２０は、下部ユニット４に対して回動可能であるだけで
なく下部ユニット４に対して脱着可能である。したがって、支持ユニット２０を移動させ
る際（取り外すことに伴い）、ロックレバー２１がエッジガイド１９の移動領域Ｓを規制
することで、エッジガイド１９が干渉して支持ユニット２０を媒体の支持位置に戻せなく
なる（取り付けられなくなる）ことを抑制できる。簡単に言うと、ロックレバー２１によ
り、支持ユニット２０を取り外した状態でエッジガイド１９の間隔（第１エッジガイド１
９ａと第２エッジガイド１９ｂとの間隔）を狭めることができないようにし、支持ユニッ
ト２０を再び取り付ける際に手間がかかる（エッジガイド１９を移動させる）ことを抑制
している。  
したがって、本実施例の媒体給送装置３は、支持ユニット２０とエッジガイド１９とが
干渉して操作性が低下することを抑制できる構成になっている。
【００５２】
別の表現をすると、本実施例の画像読取装置１は、媒体に形成された画像を読み取る読
取部１６及び１７と、読取部１６及び１７へ媒体を給送する上記のような媒体給送装置３
と、を備える。このため、支持ユニット２０とエッジガイド１９とが干渉して操作性が低
下することを抑制できるとともに、媒体に形成された画像を読み取ることができる。
【００５３】
なお、読取部１６及び１７の代わりに媒体に記録を行う記録部を備える構成としてもよ
い。すなわち、媒体に記録を行う記録部と、記録部へ媒体を給送する上記のような媒体給
送装置３と、を備える記録装置とすることで、支持ユニット２０とエッジガイド１９とが
干渉して操作性が低下することを抑制できるとともに、媒体に記録することができる。
【００５４】
また、図４から図８で表されるように、本実施例のロックレバー２１は、エッジガイド
１９の移動領域Ｓであって媒体の幅方向（Ｘ方向）における支持ユニット２０の端部側に
進退可能に配置され、媒体の支持位置に支持ユニット２０が有る際（図６及び図９参照）
には−Ｚ方向に引っ込んでエッジガイド１９の移動領域Ｓから退出し（図９参照）、支持
ユニット２０を媒体の支持位置から移動させること（支持ユニット２０の支持状態から解
除状態への切り換わり）に伴い（図７及び図１０参照）、＋Ｚ方向に突出してエッジガイ
ド１９の移動領域Ｓに進入する（図１０参照）構成である。このため、本実施例の媒体給
送装置３は、エッジガイド１９の移動領域Ｓに形成され、進退可能であるという、簡単な
構成で、規制部を形成している。
【００５５】
ここで、ロックレバー２１の進退機構について説明する。図９及び図１０で表されるよ
うに、ロックレバー２１の下部側（−Ｚ方向側）には、ロックレバー２１を上部側（＋Ｚ
方向側）に付勢する付勢部としてのバネ２７が形成されている。そして、図９で表される
ような媒体の支持位置に支持ユニット２０が有る際（閉じた状態）には、支持ユニット２
０のロックレバー２１との接触部２０ａがロックレバー２１を−Ｚ方向側に押し付けるこ
とで、ロックレバー２１はエッジガイド１９の移動領域Ｓから退出する。一方、図１０で
表されるような媒体の支持位置から支持ユニット２０が移動した際（開いた状態）には、
接触部２０ａとの係合が外れて、ロックレバー２１はバネ２７の付勢力により＋Ｚ方向側
に移動しエッジガイド１９の移動領域Ｓに進入する。
【００５６】
このように、本実施例の媒体給送装置３は、ロックレバー２１をエッジガイド１９の移
動領域Ｓに進入する方向に付勢するバネ２７を備えている。このように、ロックレバー２
１をエッジガイド１９の移動領域Ｓに進退させる構成を簡単に形成している。すなわち、
特に簡単な構成で規制部を形成している。
【００５７】
なお、本実施例の媒体給送装置３は備えていないが、規制部がエッジガイド１９の移動
領域Ｓに進入したことを検出可能な検出部２８（図８参照）を備える構成とし、該検出部
２８による検出結果を報知可能な構成としてもよい。このような構成であれば、ユーザー
は規制部がエッジガイド１９の移動領域Ｓに進入したことを簡単に認識することができる
ためである。  
ここで、「検出部」の構成は特に限定が無く、例えば、光や圧力などを利用するものを
用いることができる。また、規制部とは別体で構成されていてもよいが、規制部と一体的
に構成されていてもよい。  
なお、「検出結果を報知」とは、光、音、映像などで報知することを意味し、媒体給送
装置３から報知させる場合だけでなく外部装置から報知させる場合も含む意味である。
【００５８】
また、本実施例のロックレバー２１は、図４及び図５で表されるように媒体の給送経路
２２に対応する位置に形成されており、図８で表されるように給送経路２２において＋Ｚ
方向に一部が突出される構成になっている。別の表現をすると、本実施例のロックレバー
２１は、エッジガイド１９の移動領域Ｓに進入した際、給送ローラー１０による媒体の給
送経路２２にも進入するよう配置されている。このため、ロックレバー２１がエッジガイ
ド１９の移動領域Ｓに進入した際、媒体の給送経路２２というユーザーが見やすい位置に
ロックレバー２１が存在するので、ユーザーはロックレバー２１がエッジガイド１９の移
動領域Ｓに進入したことを簡単に認識することができる。また、エッジガイド１９の移動
領域Ｓに進入してきた際にユーザーが見やすいように、ロックレバー２１は、大きく作ら
れる（突出される領域が大きい）ことや目立つ色で作られることが望ましい。
【００５９】
また、本実施例の媒体給送装置３は備えていないが、ロックレバー２１がエッジガイド
１９の移動領域Ｓに進入することに伴って媒体をセット部２（セット領域）にセットする
ことを阻害する阻害部２９（図４参照）を備えていてもよい。阻害部２９を備える構成と
することで、ロックレバー２１がエッジガイド１９の移動領域Ｓに進入している状態に対
応する支持ユニット２０が媒体の支持位置に無い状態（媒体を適正に送ることができない
状態）において、媒体のセットを阻害し、適正でない状態で媒体が送られることを抑制す
ることができる。なお、阻害部２９の構成は特に限定は無いが、ロックレバー２１のよう
に支持ユニット２０の移動に連動して媒体をセット部２にセットすることを阻害する突出
部が突出する構成などとすることができる。
【００６０】
また、図４及び図５で表されるように、本実施例のエッジガイド１９は、媒体の幅方向
（Ｘ方向）の両端部に対応して第１エッジガイド１９ａと第２エッジガイド１９ｂとが設
けられている。そして、不図示の連動機構により、媒体の幅方向における第１エッジガイ
ド１９ａと第２エッジガイド１９ｂの中心を基準に、第１エッジガイド１９ａと第２エッ
ジガイド１９ｂとが媒体の幅方向において連動して対称に移動するよう構成されている。
このような構成とすることで、媒体の幅方向において媒体を両側から位置決めできるよう
にしているとともに、第１エッジガイド１９ａ及び第２エッジガイド１９ｂの一方を移動
させることで他方も連動して移動させることができようにしてエッジガイド１９を移動さ
せる際の操作性を良くしている。  
なお、本実施例の媒体給送装置３は、第１エッジガイド１９ａと第２エッジガイド１９
ｂとが連動して移動する構成なので、ロックレバー２１（規制部）は第１エッジガイド１
９ａ側のみに形成されている。しかしながら、このような構成に限定されず、複数のエッ
ジガイド１９を備える構成である場合、該複数のエッジガイド１９に対応して複数の規制
部を備えていてもよい。
【００６１】
また、本実施例の媒体給送装置３において、給送ローラー１０は支持ユニット２０を支
持状態から解除状態に切り換えることで該媒体給送装置３に対して着脱可能に構成されて
いる。このため、支持ユニット２０を媒体の支持位置から移動させ、給送ローラー１０を
取り外せるので、給送ローラー１０の清掃や交換を簡単に実行できる。
【００６２】
なお、以上の実施形態では本発明に係る媒体搬送装置を画像読取装置１に適用した例に
ついて説明したが、これに限らず、前述のように、媒体（例えば、印刷用紙）に対して記
録を行う記録部を備えた記録装置に適用することもできる。記録部の一例としては、イン
クジェット記録ヘッドがあり、記録装置の一例としては、ファクシミリやプリンター等が
挙げられる。記録装置の構成の一例としては、例えば図３の読取部１７に代えてインクジ
ェット記録ヘッドを設け、図３の読取部１６に代えて媒体を支持するプラテンを設ける例
が挙げられる。
【００６３】
また、本発明は上記実施例に限定されることなく、特許請求の範囲に記載した発明の範
囲内で、種々の変形が可能であり、それらも本発明の範囲内に含まれるものであることは
言うまでもない。
【符号の説明】
【００６４】
１…画像読取装置、２…セット部、３…媒体給送装置（給送装置）、４…下部ユニット
、
５…上部ユニット、６…カバー部、７…排出トレイ、８…媒体排出口、
９…トルクリミッタ、１０…給送ローラー、１０ａ…回転軸、
１１…リタードローラー、１１ａ…回転軸、１２〜１５…搬送ローラー、
１６、１７…読取部、１９…エッジガイド、１９ａ…第１エッジガイド、
１９ｂ…第２エッジガイド、２０…支持ユニット（支持部）、
２０ａ…支持ユニット２０のロックレバー２１との接触部、
２１…ロックレバー（規制部）、２２…給送経路、２３…セットガイド、
２５…フラップ、２７…バネ（付勢部）、２８…検出部、２９…阻害部、Ｇ…媒体束、
Ｓ…エッジガイド１９の移動領域、Ｓ１…干渉範囲、Ｓ２…非干渉範囲、
Ｔ１…エッジガイド１９の媒体の送り方向における先端部分、
Ｔ１ａ…先端部分Ｔ１の一部、
Ｔ２…支持ユニット２０の媒体の送り方向における後端部分
【図１】
2018019201.tif 000003
【図２】
2018019201.tif 000004
【図３】
2018019201.tif 000005
【図４】
2018019201.tif 000006
【図５】
2018019201.tif 000007
【図６】
2018019201.tif 000008
【図７】
2018019201.tif 000009
【図８】
2018019201.tif 000010
【図９】
2018019201.tif 000011
【図１０】
2018019201.tif 000012
【図１１】
2018019201.tif 000013
【図１２】
2018019201.tif 000014
【図１３】
2018019201.tif 000015